(57)【要約】  例えば、フェムトセル基地局である携帯電話基地局は、セル再選択が起こるかもしれない所望の推移帯を定義するために、そのセル再選択パラメータを設定することができる。特に、基地局は、少なくとも１つの隣接基地局のブロードキャストされたセル再選択パラメータを検出し、隣接基地局の検出されブロードキャストされたパラメータに応じて、自身のブロードキャストされたセル再選択パラメータを適合させる。【選択図】    なし
2011501599.tif 000002
【特許請求の範囲】
【請求項１】
携帯電話通信ネットワークにおける基地局の動作方法であって、
少なくとも１つの隣接基地局のブロードキャストされたセル再選択パラメータを検出する工程と、
前記少なくとも１つの隣接基地局の前記検出されブロードキャストされたパラメータに応じて、前記基地局のブロードキャストされたセル再選択パラメータを適合させる工程と
を備えることを特徴とする基地局の動作方法。
【請求項２】
少なくとも１つの隣接基地局の前記ブロードキャストされたパラメータは、前記少なくとも１つの隣接基地局を優先する第１のバイアスを定義しており、前記基地局の前記ブロードキャストされたパラメータは、前記基地局を優先する第２のバイアスを定義していることを特徴とする請求項１に記載の基地局の動作方法。
【請求項３】
前記第２のバイアスは、前記第１のバイアスに関連して適応されることを特徴とする請求項２に記載の基地局の動作方法。
【請求項４】
前記第２のバイアスは、前記第１のバイアスと前記第２のバイアスとの合計が予め定められた値であるように適応されることを特徴とする請求項３に記載の基地局の動作方法。
【請求項５】
前記検出する工程は、複数の隣接基地局の各ブロードキャストされたパラメータを検出する工程を含み、
前記適合させる工程は、前記複数の隣接基地局の各検出されブロードキャストされたパラメータに関連して、前記基地局のブロードキャストされたパラメータを適合させる工程を含む、ことを特徴とする請求項１に記載の基地局の動作方法。
【請求項６】
前記複数の隣接基地局の前記各ブロードキャストされたパラメータは、前記基地局より前記複数の隣接基地局のそれぞれを優先する各第１のバイアスを定義しており、
前記基地局の前記ブロードキャストされたパラメータは、前記複数の隣接基地局のそれぞれより前記基地局を優先する各第２のバイアスを定義していることを特徴とする請求項５に記載の基地局の動作方法。
【請求項７】
前記第２のバイアスは、前記第１のバイアスに関連して適応されることを特徴とする請求項６に記載の基地局の動作方法。
【請求項８】
前記第２のバイアスは、各前記第１のバイアスと各前記第２のバイアスとの合計が予め定められた値であるように適応されることを特徴とする請求項７に記載の基地局の動作方法。
【請求項９】
携帯電話通信ネットワークにおいて用いるための基地局であって、
少なくとも１つの隣接基地局のブロードキャストされたセル再選択パラメータを検出する手段と、
前記少なくとも１つの隣接基地局の前記検出されブロードキャストされたパラメータに応じて、自身のセル再選択パラメータを適合させる手段と、
前記適合されたセル再選択パラメータをブロードキャストする手段と
を備えることを特徴とする基地局。
【発明の詳細な説明】
【技術分野】
【０００１】
本発明は、携帯電話通信システム用の基地局に関し、特に、基地局を介してサービスを提供するための方法及びシステムに関する。
【背景技術】
【０００２】
携帯電話通信システムにおいて、ユーザ機器は、一つの基地局のサービスエリアから他の基地局のサービスエリアに移動することができる。携帯ネットワークにおける移動性のサポートは、提供された携帯電話についての操作の接近を保証する多くのコンセプトに及んでいる。それらのコンセプトの１つは、セルの選択と再選択のコンセプトであり、どのようにして携帯電話がサービング基地局を選択し、どのようにして携帯電話がネットワークにおいて移動するときに他の基地局を再選択するかを定義している。セルの再選択の目的は、接続されていようとアイドルモードであろうと、ネットワークにおいて全ての携帯電話のサービスサービスエリアの偏在を保証することである。第２のコンセプトは、ハンドオーバのコンセプトであり、接続された携帯電話が一つの基地局から次の基地局に移動するときに、それらの接続をどのようにすればうまく続行することができるかということを定義している。
【発明の概要】
【発明が解決しようとする課題】
【０００３】
本発明は、セルの再選択に関する。
【０００４】
セルの再選択がいつ行なわれるべきかを決定するための様々な仕組みがある。例えば、第２の基地局が第１の基地局よりより良い信号品質を提供することができるであろうと判定された場合に、セルの再選択が行なわれても良い。
【０００５】
しかしながら、他のいかなる基地局がサービング基地局よりより良い品質の信号を提供することができるときにいつでもセルの再選択が行なわれることができるのであれば、このことは、ユーザ機器が基地局間での領域を移動するか若しくは無線状態が変化するときに、２つの基地局間でバックワードとフォワードでの多くの再選択があるであろうことを潜在的に意味しているであろうということが認識されている。
【０００６】
典型的には、それゆえ、信号品質において少なくともある最低限の改善が生み出されることが期待されるのであれば、１つのセルの再選択のみが行なわれる。
【０００７】
フェムトセル基地局が提案されている。それは、宅内やオフィスでの使用のために消費者によって購入されることができる。また、自身の既存のブロードバンドインターネット接続を用いて、携帯電話ネットワークオペレータのコアネットワークにバックホールを提供している。そのような場合に、携帯機器にとって有利なこととしては、できるだけ長い間、フェムトセル基地局に接続されてサービスを提供され続けるということである。
【課題を解決するための手段】
【０００８】
本発明によると、携帯電話通信ネットワークにおいて基地局を動作する方法であって、少なくとも一つの隣接基地局のブロードキャストされたセル再選択パラメータを検出する工程と、少なくとも一つの隣接基地局の前記検出されブロードキャストされたパラメータに応じて、前記基地局のブロードキャストされたセル再選択パラメータを適合させる工程とを含む方法が提供される。
【図面の簡単な説明】
【０００９】
【図１】本発明の一態様における、携帯電話無線通信ネットワークの一部分を示すブロック概略図である。
【図２】本発明の一態様における、基地局のブロック概略図である。
【図３】本発明に係る第１の方法を示すフローチャートである。
【図４】第１の場合におけるユーザ機器の位置に対してプロットされた信号の強さを示す第１の図である。
【発明を実施するための形態】
【００１０】
図１は、本発明の一態様における、携帯電話無線通信ネットワークの一部分を示している。特に、図１は、携帯電話無線通信ネットワークのコアネットワーク（ＣＮ）１０と無線ネットワーク（ＲＮ）１２を示している。これらは一般的な従来のものであり、ここでは、本発明の理解のために必要な程度のみ、記述して示している。
【００１１】
このように、コアネットワーク１０は、公衆交換電話網（ＰＳＴＮ）（不図示）とインターネット１４等のパケットデータネットワークへの接続を有している。無線ネットワーク１２は、例えば、ＧＳＭ無線ネットワーク、及び／又は、ＵＭＴＳ無線ネットワークを含んでも良い。それらは一般的に従来のものである。図１に示すように、無線ネットワーク１２は、それに接続される多くの基地局（ＢＳ）１６ａ、１６ｂ、１６ｃを有する。
【００１２】
当業者によって理解されるように、代表的な無線ネットワーク１２は、それに接続された多くのそのような基地局を有している。それらの基地局は、それぞれの地理的なエリアを跨ぐサービスエリア、即ち、セルを提供し、その結果、サービスが加入者に対して有効になる。多くの場合、目的とするサービスエリアの全体に対するサービスエリアを提供する一グループの基地局がある一方で、他の基地局が、その目的とするサービスエリア内のより小さいエリアに対して付加的なサービスエリアを提供する。特に、サービスに対してより要望が期待される場合には、より小さいエリアに対して付加的なサービスエリアを提供する。第１のグループの基地局によりサービスが提供されるセルは、マクロセルとして参照される。一方で、付加的な基地局によりサービスが提供されるより小さなエリアは、ミクロセルとして参照される。
【００１３】
図１は、また、単一の宅内やオフィスビル内等の極めて小さいエリアを跨ぐサービスエリアを提供するために用いられることができる付加的な基地局１８を示している。これは、フェムトセル基地局（ＦＢＳ）として参照される。フェムトセル基地局１８は、一般的な小売店から顧客により購入されることで有効となり、購入後、顧客の既存のブロードバンドインターネット接続２０により、インターネット１４を介して携帯電話ネットワークオペレータのコアネットワーク１０に接続されることができる。このようにして、従来の携帯電話２２のユーザは、フェムトセル基地局１８を介して他の装置との接続を確立することができる。同様にして、いかなる他の携帯電話は、基地局１６ａ、１６ｂ、１６ｃ等の、携帯電話ネットワークオペレータのネットワークの他の基地局の一つを介した接続を確立することができる。
【００１４】
図１に示すように、コアネットワーク１０は、管理システム（ＭＳ）１１を含む。管理システム１１は特に、フェムトセル基地局１８とネットワークにおいてアクティブである他のフェムトセル基地局を管理するために提供されている。
【００１５】
上述したように、携帯電話２２がフェムトセル基地局１８のサービスエリア内にある間、マクロセル基地局は、フェムトセル基地局１８の位置と携帯電話２２の位置を含む所望のサービスエリア全体に対して範囲を提供する。
【００１６】
このような特徴は、本発明の一態様に関連し、以下、より詳細に記述する。
【００１７】
図２は、基地局１８の形態をより詳細に示す概略図である。基地局は、デュプレクサ２４に接続されたアンテナ２３を有する。携帯電話無線ネットワークが周波数分割多重方式で動作し、各装置が、既知の関係を有する一組の周波数上での無線周波数信号の送信と受信を同時に行なうことができる場合に、デュプレクサは、システムダウンリンク周波数帯（即ち、基地局１８の送信周波数帯）において信号をアンテナ２３に渡すことができ、システムアップリンク周波数帯（即ち、基地局１８の受信周波数帯）において信号をアンテナ２３から渡されることができる一組の適合された効果的なフィルタとなる。
【００１８】
加えて、本発明の望ましい実施形態においては、基地局１８は、割り当てられたシステムダウンリンク周波数帯において、基地局１６ａ、１６ｂ、１６ｃ等の他の基地局により送信された信号を検出することもできる。例えば、基地局１８は、携帯電話等のユーザ機器において見出される従来の受信回路に対応する別個の受信回路を備えるようにしても良い。若しくは、更なる手段が、アンテナ２３で受信され、システムダウンリンク周波数帯において、信号が基地局１８において受信されるように構成されても良い。
【００１９】
基地局１８は、信号処理部２６を含む。基地局１８による送信用の信号の場合、信号処理部２６は、ディジタル信号を受信し、それを基地局により用いられる通信基準に基づく要求された形式に変換し、信号を送信ＲＦ回路（ＴＸ）２８に渡す。一般的な従来のものとして、送信ＲＦ回路２８は、信号をアナログ形式に変換し、ダウンリンク周波数Ｆｄｌにおけるシンセサイザ回路３０により供給されるオシレータを用いる要求された無線周波数にアップコンバートする。ＲＦ信号は、その後、送信のためにアンテナ２３にデュプレクサ２４を介して渡される。
【００２０】
基地局１８との接続を有する携帯電話により送信される信号の場合、信号は、アンテナ２３において受信され、デュプレクサ２４を介して受信ＲＦ回路（ＲＸ）３４に渡される。一般的に従来のものとして、受信ＲＦ回路３４は、アップリンク周波数Ｆｕｌにおけるシンセサイザ回路３０により供給されるオシレータを用いる関連無線周波数からの信号をダウンコンバートする。そして、それらをディジタル形式に変換する。ディジタル信号は、その後、信号処理部２６に渡される。
【００２１】
本発明によると、基地局１８は、他のネットワークノード、特には、マクロセル基地局１６ａ、１６ｂ、１６ｃ、及び／又は、フェムトセル基地局１８のサービスエリア内のいかなる付随する携帯電話２２により送信された信号からの情報を用いる。その結果、それ自身の動作を最適化する。
【００２２】
基地局１８は、制御部５０の制御の下で動作する。本発明の一態様において、制御部５０は、様々な送信（ブロードキャスト：ｂｒｏａｄｃａｓｔ）されたパラメータを設定することができる。そして、特には、他の基地局から送信された信号上になされた測定結果に基づいてそのようなパラメータを設定することができる。
【００２３】
図３は、本発明に係る第１の方法を示すフローチャートである。
【００２４】
ステップ１００において、処理が開始される。ステップ１０２において、基地局１８は、ネットワークにおいて他の基地局から送信された信号を検出し、その結果、そのような信号と自身の送信との間の干渉のリスクを判定する。例えば、基地局１８は、送信を許可するチャネル上で送信されている信号のパワーを検出することができる。検出された隣接セルのために、フェムトセル基地局１８は、バイアスパラメータを検出する。
【００２５】
ステップ１０４において、基地局１８は、検出された隣接用に最適なヒステリシス値を算出する。その後、ステップ１０６において、その隣接用に自身のバイアスパラメータを算出する。例えば、基地局１８は、Ｓｉｎｔｒａｓｅａｒｃｈ、Ｑｈｙｓｔ、Ｑｑｕａｌｍｉｎ、Ｑｒｘｌｅｖｍｉｎといったパラメータ用の値を設定する。一実施形態において、基地局１８は、第１のアウトワード（ｏｕｔｗａｒｄ）セル再選択バイアス値と第２のインワード（ｉｎｗａｒｄ）セル再選択バイアス値用の値を設定する。ユーザ機器がセル再選択が起こる前に基地局１８のサービスエリア外に移動する場合に、第１のバイアス値は、基地局１６ａ、１６ｂ、１６ｃのいずれかの信号強度が基地局１８の信号強度を超えなくてはならない量の値である。反対に、ユーザ機器がセル再選択が起こる前に基地局１８のサービスエリア内に移動する場合に、第２のバイアス値は、基地局１８の信号強度がサービング基地局の信号強度を超えなくてはならない量の値である。
【００２６】
好ましくは、第１のバイアス値は、第２のバイアス値より高いレベルに設定される。これは、ユーザ機器がネットワークの他のいかなる基地局に対してよりもむしろ基地局１８に接続されることに可能な限り多く時間を費やすという効果を有している。バイアス値間のその差をヒステリシス値という。
【００２７】
ステップ１０８において、隣接セルの全てがこのようにして処理されたか否かが判定される。もし、処理されていないと判定された場合には、処理は、ステップ１００に進み、異なる隣接セルが選択され、ステップ１０２に戻る。全ての隣接セルが処理された場合には、処理は、ステップ１１２に進み、新しいオフセットパラメータがフェムトセル内に送信（ブロードキャスト：ｂｒｏａｄｃａｓｔ）される。
【００２８】
ヒステリシス値の算出とバイアスパラメータの算出の処理は、以下、詳細に説明する。
【００２９】
異なるアルゴリズムが、ＵＥがＵＴＲＡＮセルから他のＵＴＲＡＮセルへ、ＵＴＲＡＮセルからＧＳＭセルへ、もしくは、ＧＳＭセルからＵＴＲＡＮセルへ再選択されたか否かに応じてセルが再選択される場合に用いられる。
【００３０】
ＵＴＲＡＮからＵＴＲＡＮ、および、ＵＴＲＡＮからＧＳＭへのセル再選択
ＵＴＲＡＮにおけるＵＥにより用いられるセル再選択のアルゴリズムが３ＧＰＰ  ＴＳ２５．３０４のセクション５．２．６．１に定義されている。
【００３１】
サービングセル（例えば、ＵＥがキャンプオンするために選択されたセル）が隣接セルリストを送信する（アイドルモード用のＳＩＢ（ＳｙｓｔｅｍＩｎｆｏｒｍａｔｉｏｎＢｌｏｃｋ）１１と接続モード用のＳＩＢ１２）。そのリストは、ＵＴＲＡＮＩｎｔｒａ周波数隣接セル、ＵＴＲＡＮｉｎｔｅｒ周波数隣接セル、もしくはＧＳＭ隣接セルを含んでいても良い。それらのセルのみがセル再選択処理の目的のためにＵＥによって考慮される。
【００３２】
加えて、サービングセルは、サービングセルのシステム情報におけるＱｑｕａｌｍｉｎ、Ｑｒｘｌｅｖｍｉｎ、ＵＥ＿ＴＸＰＷＲ＿ＭＡＸ＿ＲＡＣＨブロードキャストのパラメータを介して、ＵＴＲＡＮセルがセル再選択用の考慮されるべき適切な候補に適合しなければならない最小無線品質を定義する。セルは、ＣＰＩＣＨ  ＥｃＮｏとＲＳＣＰが以下を満たすのであれば、適切（例えば、有効な候補）とみなされる。
【００３３】
ＣＰＩＣＨ＿ＥｃＮｏ＞Ｑｑｕａｌｍｉｎ；及び
ＣＰＩＣＨ＿ＲＳＣＰ＞Ｑｒｘｌｅｖｍｉｎ  ＋  ｍａｘ（ＵＥ＿ＴＸＰＷＲ＿ＭＡＸ＿ＲＡＣＨ  −  Ｐ＿ＭＡＸ，０）
ここで、Ｐ＿ＭＡＸは、ＵＥの最大ＲＦ出力パワーである。
【００３４】
サービングセルはまた、ＵＴＲＡＮ候補セルが例えばＣＰＩＣＨ  ＥｃＮｏもしくはＲＳＣＰに関係している場合、いずれのＲＦ量（ＲＦ  ｑｕａｎｔｉｔｙ）がセル再選択アルゴリズムにおいて用いられるかを定義する。ＧＳＭセルにとって、ＲＳＳＩは常に用いられる。
【００３５】
セルランキングのアルゴリズムは、ＣＰＩＣＨ  ＥｃＮｏもしくはＲＳＣＰが用いられたかによって異なる。
【００３６】
もし、ＲＳＣＰが用いられた場合（ＵＭＴＳセルについて）、サービングセルは、ＵＥ再選択の振る舞いを制御するために２つのタイプのパラメータを随意に有する。Ｑｈｙｓｔ１，ｓおよびＱｏｆｆｓｅｔ１ｓ，ｎである（これらのパラメータは、サービングセルのシステム情報で送信される。）Ｑｈｙｓｔ１，ｓは、サービングセルを優先するグローバル（例えば全ての隣接セルに関して）ポジティブ（もしくは、ヌル（ｎｕｌｌ））バイアスである。Ｑｏｆｆｓｅｔ１ｓ，ｎは、隣接セルｎに対して特有のポジティブ又はネガティブであっても良いバイアスである。
【００３７】
サービングセルランキングは、Ｒｓ＝ＣＰＩＣＨ  ＲＳＣＰ＋Ｑｈｙｓｔ１，ｓとして定義される。各隣接セルランキングは、Ｒｎ＝ＣＰＩＣＨ  ＲＳＣＰ（ＲＳＳＩ  ｆｏｒ  ＧＳＭ）−Ｑｏｆｆｓｅｔ１ｓ，ｎとして定義される。
【００３８】
もし、サービングセル以外のセルが時間間隔Ｔｒｅｓｅｌｅｃｔｉｏｎ（同様にサービングセルにより送信される）より長い間、最良のランキングセルとして評価された場合には、ＵＥは、そのセルに対して再選択を行うであろう。
【００３９】
もし、ＥｃＮｏが用いられた場合（ＵＭＴＳセルについて）、少なくとも１つの評価ラウンドがあっても良く、サービングセルは、ＵＥ再選択の振る舞いを制御するために、２つの付加的なタイプのパラメータを随意に有する。Ｑｈｙｓｔ２，ｓおよびＱｏｆｆｓｅｔ２ｓ，ｎである（これらのパラメータは、サービングセルのシステム情報で送信される。）
ＵＥは、上述したように全く同様の方法で（例えば、Ｑｈｙｓｔ１，ｓ及びＱｏｆｆｓｅｔ１ｓ，ｎを用いて）、ＲＳＣＰが用いられた量（ＵＴＲＡＮセルについて）であるかのように、最初のランキングをまず実行する。最も高いランキングセル（最も高いＲ）がＧＳＭセルである場合に付加的な評価ラウンドは実行されず、そのセルが時間間隔Ｔｒｅｓｅｌｅｃｔｉｏｎより長く最も高いランキングセルであり続けるのであればそのセルに対して再選択するであろう。
【００４０】
もし、最も高いランキングセル（最も高いＲ）がＵＴＲＡＮセルである場合に、ＵＥは、Ｑｈｙｓｔ２，ｓ及びＱｈｙｓｔ２ｓ，ｎを、第２の評価ラウンド（ＵＴＲＡＮ候補のみの中で）中に用いる。Ｑｈｙｓｔ２，ｓは、サービングセルを優先するグローバル（例えば全ての隣接セルに関して）ポジティブ（もしくは、ヌル（ｎｕｌｌ））バイアスである。Ｑｏｆｆｓｅｔ２ｓ，ｎは、隣接セルｎに対して特有のポジティブ又はネガティブであっても良いバイアスである。
【００４１】
サービングセルランキングは、ここで、Ｒｓ＝ＣＰＩＣＨ  ＥｃＮｏ＋Ｑｈｙｓｔ２，ｓとして定義される。各ＵＴＲＡＮ隣接セルランキングは、Ｒｎ＝ＣＰＩＣＨ  ＥｃＮｏ−Ｑｏｆｆｓｅｔ２ｓ，ｎとして定義される。
【００４２】
もし、サービングセル以外のセルが時間間隔Ｔｒｅｓｅｌｅｃｔｉｏｎ（サービングセルにより送信される）よりも長い間、最良のランキングセル（最も高いＲ）として評価された場合には、ＵＥは、そのセルに再選択するであろう。
【００４３】
ＧＳＭからＵＴＲＡＮへのセル再選択
ＧＳＭセルにおいてＵＥにより用いられるべきであるＧＳＭからＵＴＲＡＮへのセル再選択のアルゴリズムは、３ＧＰＰ  ＴＳ  ４５．００８．のセクション６．６．５で定義されている。
【００４４】
サービングセルは、２Ｇシステム情報で３Ｇセル再選択リストを送信することによりＵＥにＵＴＲＡＮを知らせる。それらのセルのみがセル再選択処理の目的のためにＵＥにより考慮される。加えて、適切なＵＴＲＡＮセルのみがセル再選択についての候補である。ＵＴＲＡＮセルは、対象のＵＴＲＡＮ自身によって定義される。サービングＧＳＭセルにより送信されるいかなる基準によっても定義されない。例えば、ＵＥは、対象セルの３Ｇシステム情報で、Ｑｑｕａｌｍｉｎ、Ｑｒｅｘｌｅｖｍｉｎ、ＵＥ_ＴＸＰＷＲ＿ＭＡＸ＿ＲＡＣＨ  ｂｒｏａｄｃａｓｔを復号化しなくてはならない。
【００４５】
サービングＧＳＭセルは、ＧＳＭからＵＴＲＡＮへのセル再選択を制御するために２つのパラメータを随意に有する。それらのパラメータは、ＦＤＤ＿Ｑｍｉｎ及びＸＸＸ＿Ｑｏｆｆｓｅｔであり、セルの２Ｇシステム情報で送信される。
【００４６】
もし、以下の基準が５秒という期間に全て満たされるのであれば、ＵＥは、適切なＵＴＲＡＮセルに再選択するであろう。
【００４７】
・測定されたＣＰＩＣＨ  ＲＳＣＰ値が、サービングセルと、ＸＸＸ＿Ｑｏｆｆｓｅｔの値による適切な非サービングＧＳＭセルの全てについてのＲＬＡ＿Ｃ（平均ＲＳＳＩ）の値を超えている。
【００４８】
・測定されたＣＰＩＣＨ  ＥｃＮｏ値が、ＦＤＤ＿Ｑｍｉｎの値以上である。
【００４９】
・測定されたＣＰＩＣＨ  ＲＳＣＰ値が、「Ｑｒｘｌｅｖｍｉｎ＋ｍａｘ（ＵＥ＿ＴＸＰＷＲ＿ＭＡＸ＿ＲＡＣＨ−Ｐ＿ＭＡＸ，０）＋１０ｄｂ」の値以上である（もし、ＵＥがそれらの量を何とか管理しているのであれば、基準は用いられない）。
【００５０】
本発明の一実施形態において、セル再選択（ＳＩＢ  １１及びＳＩＢ  １２）についての隣接リストにおけるフェムトセル基地局１８により提供されるフェムトセルをリストする各周囲のＵＴＲＡＮセルにとって、フェムトセル基地局１８は、ＵＴＲＡＮセルからフェムトセルへの再選択に影響を及ぼすセル再選択パラメータを読み込むであろう。例えば、グローバルパラメータＱｈｙｓｔ１，ｓとＱｈｙｓｔ２，ｓ、及び、フェムトセルに特有のパラメータＱｏｆｆｓｅｔ１ｓ，ｎ（Ｑｏｆｆｓｅｔ１ｓ，ａｐ）及びＱｏｆｆｓｅｔ２ｓ，ａｐである。フェムトセル基地局１８は、フェムトセルに関する各ＵＴＲＡＮセルにより用いられるバイアスをその後計算するであろう。その算出は、そのセル、例えば、ＣＰＩＣＨ  ＲＳＣＰ、即ち、ＥｃＮｏにおいて用いられる（ＵＴＲＡＮについての）セル再選択量に依存するであろう。ここでは、全ての周囲のセルが同じ量を用いると仮定する。
【００５１】
・もし、用いられる量がＣＰＩＣＨ  ＲＳＣＰである場合に、ＵＴＲＡＮセルからフェムトセル（バイアス（３Ｇ→ＡＰ）として参照される）への再選択についてのバイアスが「Ｂｉａｓ（３Ｇ→ＡＰ）＝Ｑｈｙｓｔ１，ｓ＋Ｑｏｆｆｓｅｔ１ｓ，ａｐ」として算出される。
【００５２】
・もし、用いられる量がＣＰＩＣＨ  ＥｃＮｏである場合に、バイアスが「Ｂｉａｓ（３Ｇ→ＡＰ）＝Ｑｈｙｓｔ２，ｓ＋Ｑｏｆｆｓｅｔ２ｓ，ａｐ」として算出される。
【００５３】
セル再選択（ＳＩ２ｑｕａｔｅｒ及び／又はＳＩ２ｔｅｒｍｅｓｓａｇｅｓ）についての３Ｇ隣接リストにおけるフェムトセル基地局１８により提供されるフェムトセルをリストする各周囲のＧＳＭセルにとって、フェムトセル基地局１８は、ＧＳＭセルからフェムトセルへの再選択に影響を及ぼすセル再選択バイアスパラメータ、例えば、グローバルパラメータＸＸＸ＿Ｑｏｆｆｓｅｔを読み込むであろう。フェムトセル基地局１８は、フェムトセルに関するＧＳＭセルにより用いられるバイアスを、即ち、「Ｂｉａｓ（２Ｇ→ＡＰ）＝ＸＸＸ＿Ｑｏｆｆｓｅｔ」として考慮するであろう。
【００５４】
セル再選択バイアス値の設定
フェムトセル基地局１８がセル再選択用（ＳＩＢ１１及びＳＩＢ１２）の自身の隣接リストにおいて含むと決定した上記の各セルにとって、フェムトセル基地局１８は、逆方向におけるバイアスを考慮して、自身のバイアスパラメータＱｈｙｓｔ１，ｓ，Ｑｈｙｓｔ２，ｓ，Ｑｏｆｆｓｅｔ１ｓ，ｎ及びＱｏｆｆｓｅｔ２，ｎを設定する。
【００５５】
図４は、セル選択及び再選択上でのバイアスの影響を説明するための図である。図４において、水平方向の「距離」軸に沿っての位置は、ユーザ機器（ＵＥ）の位置を表す。そして、距離の増加は、ＵＥがマクロセル基地局から離れてフェムトセル基地局１８に向かって移動することを表す。図４は、また、ＵＥの様々な位置における測定されたマクロセル及びフェムトセルのパワーを示している。
【００５６】
まず、ＵＥが初めに、例えば、図４の左側の部分のマクロセル基地局と、キャンプオンされたマクロセル近傍の位置にある場合を考える。携帯電話がマクロセルから離れて、フェムトセルに向かって（図の左から右に向かって）移動すると、マクロセルのＲＳＣＰレベルは次第に低下する。一方で、フェムトセルのＲＳＣＰレベルは次第に増加する。ポイントＡにおいて、フェムトセルＲＳＣＰレベルが上記で議論した例えば、Ｂｉａｓ（３Ｇ→ＡＰ）＝Ｑｈｙｓｔ１，ｓ＋Ｑｏｆｆｓｅｔ１ｓ，ａｐのバイアス量によりマクロセルＲＳＣＰより強くなる場合には、携帯電話は、フェムトセルへのセル再選択を始める。図４に示すように、このバイアス値Ｂｉａｓ（３Ｇ→ＡＰ）は、Ｂｉａｓ１の値に設定される。
【００５７】
携帯電話がフェムトセルからマクロセルに向かって（図の右側から左側に向かって）反対方向に移動した場合には、マクロセルのＲＳＣＰレベルは、次第に増加する。一方で、フェムトセルのＲＳＣＰレベルは、次第に低下する。
【００５８】
携帯電話は、バイアス量Ｂｉａｓ（ＡＰ→３Ｇ）によりフェムトセルＲＳＣＰレベルよりマクロセルＲＳＣＰが強くなるポイントＢに達した時に、携帯電話は、マクロセルへのセル再選択を始める。このバイアス量Ｂｉａｓ（ＡＰ→３Ｇ）は、Ｂｉａｓ（ＡＰ→３Ｇ）＝Ｑｈｙｓｔ１，ｓ＋Ｑｏｆｆｓｅｔ１ｓ，ｍａｃｒｏとして定義される。
【００５９】
図４に示されるように、このバイアス量Ｂｉａｓ（ＡＰ→３Ｇ）は、バイアス値Ｂｉａｓ（３Ｇ→ＡＰ）のＢｉａｓ１の値に等しく設定されることができる。
【００６０】
しかしながら、バイアス量Ｂｉａｓ（ＡＰ→３Ｇ）の値は、フェムトセルにより送信されたマクロパラメータ、Ｑｈｙｓｔ１，ｓ、Ｑｏｆｆｓｅｔ１ｓを変更することにより操作されることができる。その結果、マクロセルへのセル再選択が起こるであろう距離を変更することができる。
【００６１】
特に、ヒステリシス値Ｈをバイアス量Ｂｉａｓ（３Ｇ→ＡＰ）に加えることによりバイアス量Ｂｉａｓ（ＡＰ→３Ｇ）を形成することにより、アウトワード方向におけるバイアスが操作されることができ、その結果、マクロセルへの再選択が起こるであろう距離を変更することができる。
【００６２】
このようにして、図４は、バイアス量Ｂｉａｓ（ＡＰ→３Ｇ）、Ｂｉａｓ２がＢｉａｓ２＝Ｂｉａｓ１＋Ｈになるように設定される場合も示している。
【００６３】
矢印１４０、１４２、１４４により示されるように、Ｈは、セル再選択が起こるであろう距離が増加するように、正の値に有利に設定されることができる。しかしながら、矢印１４６と１４８により示されるように、Ｈは、セル再選択が起こるであろう距離が低下するように、負の値に代わりに設定されることができる。
【００６４】
上述のように、マクロセルへのセル再選択が図４に示されるような望ましい点で起きるように、要求されたヒステリシス値に基づいて、パラメータ値Ｑｈｙｓｔ１，ｓ、Ｑｏｆｆｓｅｔ１ｓ，ｍａｃｒｏが設定される。勿論、関係するパラメータ値が（Ｑｈｙｓｔ２，ｓ）と（Ｑｏｆｆｓｅｔ２ｓ，ｎ）の場合において、セル再選択の基準がＣＰＩＣＨ  ＥｃＮｏに基づく場合に、同様の推論が適用される。
【００６５】
例１
フェムトセル基地局１８が以下の４つのセルを検出し、セル再選択のための隣接としてフェムトセル基地局１８をリストし、それらのセルにより送信された、リストされたパラメータ値を検出する場合を参照しながら、本発明の実施形態を説明する。
【００６６】
ＵＴＲＡＮセル１：Ｑｈｙｓｔ１，ｓ＝２ｄＢ；  Ｑｏｆｆｓｅｔ１ｓ，ａｐ＝０ｄＢ；
ＵＴＲＡＮセル２：Ｑｈｙｓｔ１，ｓ＝２ｄＢ；  Ｑｏｆｆｓｅｔ１ｓ，ａｐ＝２ｄＢ；
ＧＳＭセル１：ＸＸＸ＿Ｑｏｆｆｓｅｔ＝２ｄＢ；
ＧＳＭセル２：ＸＸＸ＿Ｑｏｆｆｓｅｔ＝３ｄＢ；
各セルからフェムトセル基地局１８へのバイアスは、その後、以下のように算出される。
【００６７】
隣接セル  バイアス（隣接→ＡＰ）
ＵＴＲＡＮセル１ ２＋０＝２ｄＢ
ＵＴＲＡＮセル２ ２＋２＝４ｄＢ
ＧＳＭセル１  ２ｄＢ
ＧＳＭセル２  ３ｄＢ
もし、例えば、２ｄＢのヒステリシス値を用いることによって、より大きい推移帯を生成するように決定した場合には、セル再選択バイアスパラメータの設定を修正することにより３Ｇシステム情報で送信することが可能である。
【００６８】
この目的を満たす関連したパラメータの幾つかの組み合わせがある。一つの可能な組み合わせは、例を示す目的としてということのみでここに紹介する。
【００６９】
Ｑｈｙｓｔ１，ｓ＝２ｄＢ
ＵＴＲＡＮセル１：Ｑｈｙｓｔ１ｓ，Ｕｃｅｌｌ１＝２ｄＢ；
ＵＴＲＡＮセル２：Ｑｈｙｓｔ１ｓ，ｃｅｌｌ２＝４ｄＢ；
ＧＳＭセル１：Ｑｈｙｓｔ１ｓ，Ｇｃｅｌｌ１＝６ｄＢ；
ＧＳＭセル２：Ｑｈｙｓｔ１ｓ，Ｇｃｅｌｌ２＝７ｄＢ．
勿論、これは、一例にすぎない。フェムトセルのバイアスパラメータは、フェムトセル基地局１８周囲の任意のヒステリシス帯を生成するように設定されても良い。更に、推移帯は、サイズ的に均一でなく、隣接セルから隣接セルについて変化するようにしても良い。
【００７０】
本発明は、関連したパラメータのフェムトセル基地局による自動設定について述べており、動作の容易さについて幾つかの有利な点を有している。しかしながら、セル再選択パラメータは、ここに示唆されることに従って、他の方法で設定されるようにしても良い。
【図１】
2011501599.tif 000003
【図２】
2011501599.tif 000004
【図３】
2011501599.tif 000005
【図４】
2011501599.tif 000006
【国際調査報告】
2011501599.tif 000007
2011501599.tif 000008
2011501599.tif 000009